(57)【要約】【課題】画像処理装置において、表示部が占めるスペースを有効活用する技術を提供すること。【解決手段】画像処理装置は、表示部と、指示座標を検出する座標検出部と、制御部と、を備える。制御部は、画像処理装置の画像処理機能を示す複数のアイコン画像を表示部に表示させる第１の表示制御部と、選択アイコン画像の表示領域内において実行される第１のユーザ操作を座標検出部を介して受け付ける第１の受付部と、選択アイコン画像の表示領域内において実行される第２のユーザ操作を座標検出部を介して受け付ける第２の受付部と、第１の受付部が第１のユーザ操作を受け付ける場合に、特定処理を実行する特定処理実行部と、第２の受付部が第２のユーザ操作を受け付ける場合に、第１のパラメータ設定画像を表示部に表示させる第２の表示制御部と、を備える。【選択図】図３
2018165959.tif 000002
【特許請求の範囲】
【請求項１】
画像処理装置であって、
表示部と、
前記表示部の表示領域内へ指示体が接触又は、近接した位置を示す座標である指示座標を検出する座標検出部と、
制御部と、を備え、
前記制御部は、
前記画像処理装置の画像処理機能を示す複数のアイコン画像を前記表示部に表示させる第１の表示制御部と、
前記複数のアイコン画像のうちのいずれかである選択アイコン画像の表示領域内において実行される第１のユーザ操作を前記座標検出部を介して受け付ける第１の受付部と、
前記選択アイコン画像の表示領域内において実行される第２のユーザ操作を前記座標検出部を介して受け付ける第２の受付部であって、前記第２のユーザ操作は、前記第１のユーザ操作とは異なる操作である、前記第２の受付部と、
前記第１の受付部が前記第１のユーザ操作を受け付ける場合に、前記選択アイコン画像に割り当てられている前記画像処理機能に応じた特定処理を実行する特定処理実行部と、
前記第２の受付部が前記第２のユーザ操作を受け付ける場合に、前記画像処理装置が備える機能に関連する第１のパラメータを設定するための第１のパラメータ設定画像を前記表示部に表示させる第２の表示制御部と、
を備える、画像処理装置。
【請求項２】
前記座標検出部が、前記選択アイコン画像の表示領域内の同一位置で指示座標を特定期間以上検出した場合、前記第２の受付部は、前記第２のユーザ操作を前記座標検出部を介して受け付ける、請求項１に記載の画像処理装置。
【請求項３】
前記第１の表示制御部は、前記複数のアイコン画像を第１の方向に並べて前記表示部に表示させ、
前記座標検出部が、前記選択アイコン画像の表示領域内において検出された前記指示座標の前記第１の方向に直交する第２の方向への移動を検出する場合に、前記第２の受付部は、前記第２のユーザ操作を前記座標検出部を介して受け付ける、請求項１又は２に記載の画像処理装置。
【請求項４】
前記第１の表示制御部は、前記複数のアイコン画像を含む画面画像を前記表示部に表示させ、
前記制御部は、
前記画面画像が表示されている状態で、前記座標検出部が、前記表示部の表示領域内において検出された前記指示座標の移動を検出し、かつ、前記指示座標の前記第１の方向への移動距離が前記指示座標の前記第２の方向への移動距離よりも大きい場合に、前記座標検出部を介して第３のユーザ操作を受け付ける第３の受付部と、
前記第３の受付部が前記第３のユーザ操作を受け付ける場合、前記画面画像を前記第１の方向へスクロール表示させる第３の表示制御部と、をさらに備え、
前記座標検出部が、前記選択アイコン画像の表示領域内において検出された前記指示座標の前記第２の方向への移動を検出し、かつ、前記指示座標の前記第２の方向への移動距離が前記指示座標の前記第１の方向への移動距離よりも大きい場合に、前記第２の受付部は、前記第２のユーザ操作を前記座標検出部を介して受け付ける、請求項３に記載の画像処理装置。
【請求項５】
前記第３の表示制御部は、
前記第１のパラメータ設定画像が表示されているか否かを判断し、
前記第３のユーザ操作を受け付け、かつ、前記第１のパラメータ設定画像が表示されていないと判断したら、スクロール処理後の前記画面画像を前記表示部に表示させる、請求項４に記載の画像処理装置。
【請求項６】
前記第１のパラメータ設定画像は、前記座標検出部によって検出された前記指示座標の前記第２の方向への移動距離に応じて前記第１のパラメータを変化させるための画像であり、
前記制御部は、
前記第１のパラメータ設定画像が表示された後における前記指示座標の前記第２の方向への特定距離の移動を前記座標検出部が検出する場合に、パラメータ変更操作を前記座標検出部を介して受け付ける第４の受付部と、
前記第４の受付部が前記パラメータ変更操作を受け付ける場合に、前記特定距離に応じて前記第１のパラメータを変更するパラメータ変更部をさらに備える、請求項４又は５に記載の画像処理装置。
【請求項７】
前記複数のアイコン画像は、印刷機能を示す印刷アイコン画像と、スキャン機能を示すスキャンアイコン画像と、のうちの少なくとも一方を含み、
前記第１のパラメータは、
前記選択アイコン画像が前記印刷アイコン画像である場合には、前記印刷機能に関係するパラメータであり、
前記選択アイコン画像が前記スキャンアイコン画像である場合には、前記スキャン機能に関係するパラメータである、請求項１から６のいずれか一項に記載の画像処理装置。
【請求項８】
前記制御部は、
前記表示部において前記選択アイコン画像の表示領域外の画像をタッチする第４のユーザ操作を前記座標検出部を介して受け付ける第５の受付部と、
前記第５の受付部が前記第４のユーザ操作を受け付ける場合に、前記画像処理装置に関連する第２のパラメータを設定するための第２のパラメータ設定画像を前記表示部に表示させる第６の表示制御部と、
をさらに備える、請求項７に記載の画像処理装置。
【請求項９】
前記第２のパラメータは、音量、表示画面の明るさのうちの少なくとも一方を含む、請求項８に記載の画像処理装置。
【請求項１０】
前記制御部は、
前記画像処理装置に設定可能な複数種類のパラメータのうち特定個のパラメータの選択を受け付ける選択受付部と、
複数のアイコン画像のうちの特定個のアイコン画像に対応する特定個の前記第１のパラメータとして、前記選択受付部が受け付けた前記特定個のパラメータを登録する登録部と、をさらに備える、請求項１から９のいずれか一項に記載の画像処理装置。
【請求項１１】
画像処理装置によって実行される方法であって、
前記画像処理装置は、
表示部と、
前記表示部の表示領域内へ指示体が接触又は、近接した位置を示す座標である指示座標を検出する座標検出部と、
制御部と、を備え、
前記方法は、
前記画像処理装置のためのコンピュータプログラムに従った以下の各ステップ、即ち、
前記画像処理装置の画像処理機能を示す複数のアイコン画像を前記表示部に表示させる第１の表示制御ステップと、
前記複数のアイコン画像のうちのいずれかである選択アイコン画像の表示領域内において実行される第１のユーザ操作を前記座標検出部を介して受け付ける第１の受付ステップと、
前記選択アイコン画像の表示領域内において実行される第２のユーザ操作を前記座標検出部を介して受け付ける第２の受付ステップであって、前記第２のユーザ操作は、前記第１のユーザ操作とは異なる操作である、前記第２の受付ステップと、
前記第１の受付ステップが前記第１のユーザ操作を受け付ける場合に、前記選択アイコン画像に割り当てられている前記画像処理機能に応じた特定処理を実行する特定処理実行ステップと、
前記第２の受付ステップが前記第２のユーザ操作を受け付ける場合に、前記画像処理装置が備える機能に関連する第１のパラメータを設定するための第１のパラメータ設定画像を前記表示部に表示させる第２の表示制御ステップと、
を備える、方法。
【請求項１２】
画像処理装置のためのコンピュータプログラムであって、
前記画像処理装置は、
表示部と、
前記表示部の表示領域内へ指示体が接触又は、近接した位置を示す座標である指示座標を検出する座標検出部と、
制御部と、を備え、
前記コンピュータプログラムは、前記画像処理装置に搭載されるコンピュータを、以下の各部、即ち、
前記画像処理装置の画像処理機能を示す複数のアイコン画像を前記表示部に表示させる第１の表示制御部と、
前記複数のアイコン画像のうちのいずれかである選択アイコン画像の表示領域内において実行される第１のユーザ操作を前記座標検出部を介して受け付ける第１の受付部と、
前記選択アイコン画像の表示領域内において実行される第２のユーザ操作を前記座標検出部を介して受け付ける第２の受付部であって、前記第２のユーザ操作は、前記第１のユーザ操作とは異なる操作である、前記第２の受付部と、
前記第１の受付部が前記第１のユーザ操作を受け付ける場合に、前記選択アイコン画像に割り当てられている前記画像処理機能に応じた特定処理を実行する特定処理実行部と、
前記第２の受付部が前記第２のユーザ操作を受け付ける場合に、前記画像処理装置が備える機能に関連する第１のパラメータを設定するための第１のパラメータ設定画像を前記表示部に表示させる第２の表示制御部と、
として機能させるコンピュータプログラム。
【発明の詳細な説明】
【技術分野】
【０００１】
本明細書に開示されている技術は、アイコン画像を表示する画像処理装置に関する。
【背景技術】
【０００２】
特許文献１には、表示パネルを備える携帯型電子機器が開示されている。表示パネルの両サイドには、タッチセンサが設けられている。ユーザは、「サイズ変更」ボタン等が表示パネルに表示されている状態で、「サイズ変更」ボタンの隣のタッチセンサ部分にタッチする。これにより、表示パネルに表示されている画像の拡縮率を設定するためのスライダーインジケータが表示パネルに表示される。
【先行技術文献】
【特許文献】
【０００３】
【特許文献１】特開２００９−９９０６７号公報
【発明の概要】
【発明が解決しようとする課題】
【０００４】
一般に装置において、表示パネル、タッチセンサ等のハードウェアを配置するためのスペースには限りがあるため、スペースを有効活用することが好ましい。上記の技術では、タッチセンサを配置するスペースを確保する必要があるために、表示パネル等を配置する上で、大きさ、配置場所に制約が生じる可能性がある。本明細書では、画像処理装置において、表示部が占めるスペースを有効活用する技術を開示する。
【課題を解決するための手段】
【０００５】
本明細書に記載の画像処理装置は、表示部と、前記表示部の表示領域内へ指示体が接触又は、近接した位置を示す座標である指示座標を検出する座標検出部と、制御部と、を備える。前記制御部は、前記画像処理装置の画像処理機能を示す複数のアイコン画像を前記表示部に表示させる第１の表示制御部と、前記複数のアイコン画像のうちのいずれかである選択アイコン画像の表示領域内において実行される第１のユーザ操作を前記座標検出部を介して受け付ける第１の受付部と、前記選択アイコン画像の表示領域内において実行される第２のユーザ操作を前記座標検出部を介して受け付ける第２の受付部であって、前記第２のユーザ操作は、前記第１のユーザ操作とは異なる操作である、前記第２の受付部と、前記第１の受付部が前記第１のユーザ操作を受け付ける場合に、前記選択アイコン画像に割り当てられている前記画像処理機能に応じた特定処理を実行する特定処理実行部と、前記第２の受付部が前記第２のユーザ操作を受け付ける場合に、前記画像処理装置が備える機能に関連する第１のパラメータを設定するための第１のパラメータ設定画像を前記表示部に表示させる第２の表示制御部と、を備える。
【０００６】
上記の構成によると、選択アイコン画像の表示領域では、２種類の操作が受け付けられる。そして、画像処理装置は、２種類の操作のうちの何れが受け付けられるかに応じて、特定処理、及び、第１のパラメータ設定画像の表示のうちの一方を実行する。このように、１個の画像に２種類の処理が対応しているので、１個の画像に１種類の処理のみが対応する構成に比べて、画像処理装置は、１個の画像が占めるスペースを有効活用することができる。即ち、画像処理装置は、表示部が占めるスペースを有効活用することができる。
【図面の簡単な説明】
【０００７】
【図１】本発明の一実施例形態に係る多機能機の概略構成を示すブロック図である。
【図２】多機能機の機能関連処理のフローチャートである。
【図３】図２の続きのフローチャートである。
【図４】図２の続きのフローチャートである。
【図５】多機能機の登録処理のフローチャートである。
【図６】機能画面の一例を示す図である。
【図７】明るさを設定するためのスライダーインジケータが表示された場合を示す図である。
【図８】コピーアイコン画像がタッチされた場合を示す図である。
【図９】スクロール操作が実行された場合を示す図である。
【図１０】コピー機能に対応するスライダーインジケータが表示された場合を示す図である。
【図１１】スキャン機能に対応するスライダーインジケータが表示された場合を示す図である。
【図１２】印刷部数が変更された場合を示す図である。
【図１３】アイコン選択操作が実行された場合を示す図である。
【発明を実施するための形態】
【０００８】
＜実施例＞
図１に、本実施形態に係る多機能機１０（Multifunction Peripheral（ＭＦＰ）ともいう）のブロック図を示す。
【０００９】
＜多機能機１０の構成＞
本実施形態に係る多機能機１０は、プリンタ機能、スキャナ機能、コピー機能、ファクシミリ機能、電話機能などを有する装置である。多機能機１０は、制御部１２、パネル５０、座標検出部５１、プリント部５４、スキャン部５６、ＦＡＸ部５８、ネットワークインターフェイス６０、等を備える。制御部１２は、ＣＰＵ１４、ＲＯＭ１６、ＲＡＭ３０、ＮＶＲＡＭ（Non Volatile RAM）４０、等を有する。
【００１０】
ＣＰＵ１４は、ＲＯＭ１６に記憶されているプログラムに従って様々な処理を実行する。ＣＰＵ１４が実行する処理については、後で詳しく説明する。ＲＯＭ１６は、多機能機１０の基本的な動作を制御するための画像表示プログラム１８を記憶している。
【００１１】
図１に示すように、多機能機１０の上面正面側には、パネル５０が設けられている。パネル５０には、画像表示プログラム１８のＡＰＩ（Application Program Interface）を用いて、各種の画像が表示される。パネル５０の正面位置に対する左右方向（横方向）が、ｘ軸方向である。パネル５０の正面位置に対する前後方向（縦方向）が、ｙ軸方向である。パネル５０の表面には、透明な平板部を有する座標検出部５１が、パネル５０を覆うように備えられている。座標検出部５１は、指示体（例：ユーザの指先、スタイラス（タッチパネル用ペン）など）が接触または近接された位置を示す座標である指示座標を検出する機能を有する。パネル５０および座標検出部５１は、いわゆるタッチパネルとして機能する。
【００１２】
ＲＡＭ３０は、揮発性のメモリであり、画像表示プログラム１８に従って処理が実行される過程で生成される各種データを記憶するための記憶領域である。ＮＶＲＡＭ４０は不揮発性のメモリである。
【００１３】
プリント部５４は、プリントを実行する部位である。スキャン部５６は、原稿を読み取ってデータ化する部位である。ＦＡＸ部５８は、データ化された原稿を送受信する部位である。ネットワークインターフェイス６０は、有線ＬＡＮ回線４に接続されており、各種のデータを送受信する部位である。
【００１４】
＜多機能機１０の機能関連処理＞
多機能機１０が画像表示プログラム１８に従って実行する機能関連処理について、図２から図４のフローチャートを用いて説明する。図２から図４のフローは、多機能機１０の電源がオンされることにより開始され、電源がオフされるまで実行され続ける。
【００１５】
Ｓ１０では、ＣＰＵ１４は、複数のアイコン画像を含む機能画像ＦＩ１（図６参照）をパネル５０に表示させる。機能画像ＦＩ１は、コピー機能を示すコピーアイコン画像ＡＩ１と、スキャン機能を示すスキャンアイコン画像ＡＩ２と、ＦＡＸ機能を示すＦＡＸアイコン画像ＡＩ３と、を含む。アイコン画像ＡＩ１〜ＡＩ３は、ｘ軸方向に並んでいる。
【００１６】
Ｓ２０では、ＣＰＵ１４は、操作イベントが発生したか否かを判断する。操作イベントは、指示体が座標検出部５１に接触または近接すること、指示体が座標検出部５１から離れること、及び、座標検出部５１が検出している指示座標が移動することのうちのいずれかである。以下では、上記の操作イベントをそれぞれ、「タッチ」、「離反」、「座標移動」と呼ぶことがある。ＣＰＵ１４は、Ｓ２０で肯定判断した場合に、Ｓ３０に進む。
【００１７】
Ｓ３０では、ＣＰＵ１４は、背景画像ＢＩ（図６参照）がタッチされたのか否かを判断する。背景画像ＢＩは、パネル５０内のアイコン画像以外の画像である。具体的には、ＣＰＵ１４は、操作イベントがタッチであり、かつ、座標検出部５１が検出した指示座標が背景画像ＢＩ内の位置を示す場合に、Ｓ３０で肯定判断し、Ｓ３５に進む。一方、ＣＰＵ１４は、背景画像ＢＩがタッチされていない場合に、Ｓ３０で否定判断し、Ｓ５５に進む。
【００１８】
Ｓ３５では、ＣＰＵ１４は、背景画像ＢＩの表示領域内において検出された指示座標のｙ軸方向への移動距離が、ｙ軸方向に直交するｘ軸方向への移動距離よりも大きいか否かを判断する。ＣＰＵ１４は、Ｓ３５で肯定判断した場合に、Ｓ４５に進み、Ｓ３５で否定判断した場合に、Ｓ３８に進む。Ｓ３８では、ＣＰＵ１４は、スクロール操作を受け付ける。
【００１９】
Ｓ４０では、ＣＰＵ１４は、機能画像をｘ軸方向へスクロール表示させ、スクロール処理後の機能画像をパネル５０に表示させる。図９には、図６の機能画像ＦＩ１が図中の右方向にスクロールされた後に表示される機能画像ＦＩ４が示されている。機能画像ＦＩ４は、スキャンアイコン画像ＡＩ２と、ＦＡＸアイコン画像ＡＩ３と、セキュアプリント機能を示すセキュアプリントアイコン画像ＡＩ４と、を含み、コピーアイコン画像ＡＩ１を含まない。セキュアプリント機能は、多機能機１０にピンコードが入力された後にプリントを実行するための機能である。
【００２０】
Ｓ４５では、ＣＰＵ１４は、背景画像ＢＩをタッチする背景操作を座標検出部５１を介して受け付ける。
【００２１】
Ｓ５０では、ＣＰＵ１４は、多機能機１０の本体設定に関連する本体パラメータを設定するためのスライダーインジケータをパネル５０に表示させる。スライダーインジケータは、座標検出部５１によって検出された指示座標のｙ軸方向への移動距離に応じてパラメータを変化させるための画像である。Ｓ５０で表示されるスライダーインジケータの一例を図７に示す。図７では、機能画像ＦＩ２内の背景画像ＢＩにおいて、表示画像の明るさを設定するためのスライダーインジケータＳＩ１が表示されている。なお、本体パラメータの設定は、表示画像の明るさ設定の他に、操作が検出されなくなってからスリープ状態に移行するまでの時間（Sleep Time）設定、操作が検出されなくなってから表示画像の明るさを低下させるまでの時間（Dim Timer）設定、トレイ用紙サイズ設定、ネットワーク設定等であってもよい。ＣＰＵ１４は、Ｓ５０を終了すると、Ｓ２０に戻る。
【００２２】
Ｓ５５では、ＣＰＵ１４は、操作イベントのイベントタイプを判断する。ＣＰＵ１４は、操作イベントがタッチである場合に、Ｓ６０に進み、操作イベントが座標移動である場合に、図３のＳ１１０に進み、操作イベントが離反である場合に、図４のＳ２１０に進む。
【００２３】
Ｓ６０では、ＣＰＵ１４は、タッチされている（即ち、検出中の指示座標に対応する）アイコン画像の色を変更する。図８では、機能画像ＦＩ３内のコピーアイコン画像ＡＩ１の色が変更されている場合の例が示されている。ＣＰＵ１４は、Ｓ６０を終了すると、Ｓ２０に戻る。
【００２４】
図３のＳ１１０では、ＣＰＵ１４は、スライダーインジケータがパネル５０に表示されているか否かを判断する。ＣＰＵ１４は、Ｓ１１０で肯定判断した場合に、Ｓ１５５に進み、Ｓ１１０で否定判断した場合に、Ｓ１２０に進む。
【００２５】
Ｓ１２０では、ＣＰＵ１４は、アイコン画像の表示領域内において検出された指示座標のｙ軸方向への移動距離が、ｙ軸方向に直交するｘ軸方向への移動距離よりも大きいか否かを判断する。ＣＰＵ１４は、Ｓ１２０で肯定判断した場合に、Ｓ１４０に進み、Ｓ１２０で否定判断した場合に、Ｓ１２５に進む。Ｓ１２５、Ｓ１３０は、図２のＳ３８、Ｓ４０と同様である。
【００２６】
Ｓ１４０では、ＣＰＵ１４は、アイコン画像が長押しされているか否かを判断する。具体的には、ＣＰＵ１４は、アイコン画像の表示領域内の同一位置で指示座標を特定期間以上検出した場合に、Ｓ１４０で肯定判断し、Ｓ１４５に進む。一方、ＣＰＵ１４は、アイコン画像の表示領域内の同一位置で指示座標を特定期間以上検出していない場合に、Ｓ１４０で否定判断し、図２のＳ２０に戻る。
【００２７】
Ｓ１４５では、ＣＰＵ１４は、インジケータ表示操作を受け付ける。インジケータ表示操作は、アイコン画像を長押しした後に、ｙ軸方向にドラッグする操作である。
【００２８】
Ｓ１５０では、ＣＰＵ１４は、操作中のアイコン画像が示す機能に関係するスライダーインジケータをアイコン画像に重ねて表示する。具体的には、ＣＰＵ１４は、アイコン画像が示す機能に対応付けてＮＶＲＡＭ４０に登録済みのパラメータ（図５のＳ３２０参照）を読み出し、当該パラメータを設定するためのスライダーインジケータをパネル５０に表示させる。
【００２９】
図１０には、印刷部数を設定するためのスライダーインジケータＳＩ２が機能画像ＦＩ５内に表示される例が示されている。印刷部数は、操作中のコピーアイコン画像ＡＩ１が示すコピー機能に対応付られているコピーパラメータである。図１０では、パラメータ「５」部が設定されている。なお、コピーパラメータは、印刷部数の他に、拡縮率、印刷媒体１枚当たりに印刷されるページ数等であってもよい。
【００３０】
図１１には、スキャン解像度を設定するためのスライダーインジケータＳＩ３が機能画像ＦＩ６内に表示される例が示されている。スキャン解像度は、操作中のスキャンアイコン画像ＡＩ２が示すスキャン機能に対応付られているスキャンパラメータである。図１１では、パラメータ「６００」ｄｐｉが設定されている。なお、スキャンパラメータは、スキャン解像度の他に、コントラスト、スキャンデータサイズ等であってもよい。
【００３１】
Ｓ１５５では、ＣＰＵ１４は、指示座標のｙ軸方向への移動を検出したか否かを判断する。ＣＰＵ１４は、Ｓ１５５で肯定判断した場合に、Ｓ１６０に進み、Ｓ１５５で否定判断した場合に、Ｓ２０に戻る。
【００３２】
Ｓ１６０では、ＣＰＵ１４は、パラメータ変更操作を座標検出部５１を介して受け付ける。
【００３３】
Ｓ１８０では、ＣＰＵ１４は、指示座標のｙ軸方向への移動距離に応じてパラメータを変更する。指示座標のｙ軸方向への移動距離と、パラメータの変更量と、は比例する。
【００３４】
Ｓ１９０では、ＣＰＵ１４は、パラメータが変更された後のスライダーインジケータをパネル５０に表示させる。例えば、図１０のパラメータ「５」が、図１２の機能画像ＦＩ７では「１０」に変更されている。
【００３５】
図４のＳ２１０は、図３のＳ１１０と同様である。ＣＰＵ１４は、Ｓ２１０で肯定判断した場合に、Ｓ２２０に進み、Ｓ２１０で否定判断した場合に、Ｓ２２５に進む。Ｓ２２０では、ＣＰＵ１４は、スライダーインジケータをパネル５０から非表示にする。
【００３６】
Ｓ２２５では、ＣＰＵ１４は、アイコン選択操作を座標検出部５１を介して受け付ける。アイコン選択操作は、機能画像内の複数のアイコン画像のうちのいずれかであるアイコン画像の表示領域をタッチする操作である。
【００３７】
Ｓ２３０では、ＣＰＵ１４は、アイコン選択操作で選択されたアイコン画像に割り当てられている機能に対応する設定画面をパネル５０に表示させる。設定画面は、当該機能に関する複数のパラメータを設定するための画面である。図１３には、コピーアイコン画像ＡＩ１が選択された場合におけるコピー機能に関連する設定画面ＳＳが示されている。設定画面ＳＳは、印刷部数、カラー／モノクロ印刷、片面／両面印刷等の設定項目と、各設定項目に対するパラメータと、を含む。ユーザは、所定の操作を実行することによってパラメータを変更することができる。
【００３８】
Ｓ２４０では、ＣＰＵ１４は、機能に応じた処理を実行するための機能実行操作を座標検出部５１を介して受け付けたか否かを判断する。図１３の例では、機能実行操作は、スタートボタンＢを押下する操作である。ＣＰＵ１４は、Ｓ２４０で肯定判断した場合に、Ｓ２５０に進む。
【００３９】
Ｓ２５０では、ＣＰＵ１４は、機能処理を実行する。機能処理は、例えば、Ｓ２２５においてコピーアイコン画像ＡＩ１が選択された場合では、コピー処理であり、スキャンアイコン画像ＡＩ２が選択された場合では、スキャン処理であり、ＦＡＸアイコン画像ＡＩ３が選択された場合では、ＦＡＸ処理であり、セキュアプリントアイコン画像ＡＩ４が選択された場合では、プリント処理である。ＣＰＵ１４は、Ｓ２５０が終了すると、図２のＳ２０に戻る。
【００４０】
＜多機能機１０の登録処理＞
多機能機１０が画像表示プログラム１８に従って実行する登録処理について、図５のフローチャートを用いて説明する。図５のフローは、多機能機１０の電源がオンされることにより開始され、電源がオフされるまで実行され続ける。
【００４１】
Ｓ３１０では、ＣＰＵ１４は、多機能機１０に設定可能な複数種類のパラメータのうちの１個のパラメータを選択するための選択操作を受け付けたか否か判断する。ＣＰＵ１４は、Ｓ３１０で肯定判断する場合に、Ｓ３２０に進む。
【００４２】
Ｓ３２０では、ＣＰＵ１４は、選択されたパラメータを、図３のＳ１５０で表示されるべきパラメータとしてＮＶＲＡＭ４０に登録する。具体的には、まず、ＣＰＵ１４は、選択されたパラメータに対応する機能を特定する。例えば、パラメータが印刷部数である場合に、コピー機能が特定される。パラメータがスキャン解像度である場合に、スキャン機能が特定される。そして、ＣＰＵ１４は、パラメータを、特定された機能に対応付けてＮＶＲＡＭ４０に登録する。ＣＰＵ１４は、Ｓ３２０が終了すると、Ｓ３１０に戻る。Ｓ３１０及びＳ３２０が繰り返し実行されることによって、複数のパラメータがＮＶＲＡＭ４０に登録され得る。
【００４３】
＜効果＞
一般的な例では、各アイコン画像の表示領域では、アイコン画像をタップ（タッチ＆離反）するアイコン選択操作（図４のＳ２２５）を受け付けられるが、インジケータ表示操作（図３のＳ１４５）を受け付られない。そのため、多機能機は、１個のアイコン画像につき、アイコン選択操作に対応する１種類の処理のみを実行する。一方、本実施例では、各アイコン画像の表示領域では、１個のアイコン選択操作及びインジケータ表示操作の双方が受け付けられる。多機能機１０は、アイコン選択操作が受け付けられる場合（図４のＳ２２５）、アイコン画像に割り当てられている画像処理機能に応じた処理を実行する（Ｓ２３０、Ｓ２５０）。一方、多機能機１０は、インジケータ表示操作が受け付けられる場合（図３のＳ１４５）に、スライダーインジケータを表示する（Ｓ１５０）。即ち、１個のアイコン画像に２種類の処理が対応している。このように、本実施例では、１個のアイコン画像に１種類の処理のみが対応する上記一般的な例に比べて、１個のアイコン画像を有効活用することができる。即ち、多機能機１０は、パネル５０が占めるスペースを有効活用することができる。
【００４４】
アイコン画像を長押しする操作（図３のＳ１４０でＹＥＳ）によって、インジケータ表示操作を入力することができる。長押しする操作は、タップ操作に比して、ユーザが意図せずに実行する可能性が低い操作である。そのため、ユーザが意図せずにインジケータ表示操作を実行してしまうこと（誤操作）を抑制できる。
【００４５】
複数のアイコン画像は、ｘ軸方向に並んでいる。ユーザは、ｘ軸方向にドラッグするスクロール操作を実行（Ｓ１２０でＮＯ）することによって、機能画像をｘ方向へスクロールさせることができる（図３のＳ１２５、Ｓ１３０）。一方、ユーザは、ｙ軸方向にドラッグするインジケータ表示操作を実行（Ｓ１２０でＹＥＳ）することによって、スライダーインジケータを表示させることができる。（Ｓ１５０）。即ち、スクロール操作及びインジケータ表示操作において、ドラッグする方向が直交している。そのため、ユーザがスクロール操作を入力しようとした場合にインジケータ表示操作が誤って入力されたり、インジケータ表示操作を入力しようとした場合にスクロール操作が誤って入力されたりすることを抑制できる。
【００４６】
スライダーインジケータの表示中では（図３のＳ１１０でＹＥＳ）、ｙ方向の移動のみが検出され（Ｓ１５５でＹＥＳ）、ｘ軸方向の移動が無視される（Ｓ１５５でＮＯ）。その結果、ｘ方向の操作であるスクロール操作の入力を無視することができる。即ち、多機能機１０は、スライダーインジケータの表示中においては、機能画像のスクロールをロックすることができる。従って、ユーザがスライダーインジケータにおいてパラメータを変更している最中に機能画像がスクロールされてしまうことを抑制できる。
【００４７】
多機能機１０は、インジケータ表示操作が実行されたアイコン画像が示す機能に関係するスライダーインジケータを表示する（図３のＳ１５０）。例えば、多機能機１０は、コピーアイコン画像ＡＩ１にインジケータ表示操作が実行された場合に、コピー設定に関するスライダーインジケータを表示する。多機能機１０は、スキャンアイコン画像ＡＩ２にインジケータ表示操作が実行された場合に、スキャン設定に関するスライダーインジケータを表示する。そのため、ユーザは、どのアイコン画像にインジケータ表示操作を実行すれば、どのスライダーインジケータが表示されるのかを容易に理解することができる。
【００４８】
多機能機１０は、背景がタッチされる背景操作を受け付けた場合（図２のＳ４５）に、多機能機１０の本体設定に関連する本体パラメータを表示する（Ｓ５０）。通常、本体パラメータの変更画面を表示させるには、機能画像（図６のＦＩ１等）（即ち最上層画面）が表示された画面の階層から下位の層へ移行して入力操作をする必要がある。一方、本実施例では、ユーザが背景をタッチするのみで（即ち１ステップで）本体パラメータが変更可能な状態となる。従って、多機能機１０は、本体パラメータを変更するためのユーザの操作負荷を軽減することができ、操作時間を短縮することができる。
【００４９】
ユーザは、パラメータを選択し（図５のＳ３１０）、多機能機１０に登録することができる（Ｓ３２０）。即ち、ユーザは、スライダーインジケータを利用して変更するパラメータを自由に設定することができる。
【００５０】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。以下に変形例を示す。
【００５１】
＜変形例１＞
本実施例では、インジケータ表示操作は、アイコン画像を長押しし（図３のＳ１４０でＹＥＳ）、かつ、ｙ軸方向にドラッグする（Ｓ１２０でＹＥＳ）操作である。変形例では、インジケータ表示操作は、アイコン画像を長押しする操作であってもよい。即ち、ＣＰＵ１４は、Ｓ１２０の前にＳ１４０を実行し、Ｓ１４０でＹＥＳと判断される場合に、Ｓ１４５に進んでもよい。別の変形例では、インジケータ表示操作は、ｙ軸方向にドラッグする操作であってもよい。即ち、ＣＰＵ１４は、Ｓ１２０の後にＳ１４０を省略し、Ｓ１５０に進んでもよい。
【００５２】
ユーザは、インジケータ表示操作を実行する際に、長押しすることに代えて（図３のＳ１４０）、所定閾値以上の圧力で画像をタッチ（いわゆる３Ｄタッチ）してもよい。即ち、Ｓ１４０では、ＣＰＵ１４は、タッチした時の圧力が所定閾値以上であるか否かを判断してもよい。
【００５３】
図２のＳ５０、及び図３のＳ１５０では、スライダーインジケータに代えて、パラメータを入力するための入力フォームが表示されてもよい。ユーザは、例えば、多機能機１０が備えるボタンを操作することによってパラメータを入力することができる。
【００５４】
実施例では、図３のＳ１３０のスクロール表示では、図８及び図９の例に示されるように、機能画像の一部のみが切り替わっている。変形例では、機能画像が複数のページからなり、スクロール表示によってページ単位で画像が切り替わってもよい。
【００５５】
本実施例では、アイコン画像が並んでいる方向や、アイコン画像をスクロール表示させることができる方向が、ｘ方向（横方向）である場合を説明したが、この形態に限られない。ｙ方向（縦方向）にアイコン画像を並べて表示することや、ｘ方向にリスト画像をスクロール表示させることも可能である。また、この場合に、スライダーインジケータは、ｙ方向（縦方向）ではなく、ｘ方向（横方向）に延びて表示されていてもよい。
【００５６】
本実施例においてｙ方向のドラッグは、ｙ軸方向に完全に一致する方向のドラッグのみならず、ｙ方向に近い方向のドラッグも含む。例えば、ｙ方向からプラスマイナス３０度の範囲内の方向へのドラッグ操作を、「ｙ方向のドラッグ」として検出してもよい。同様にして、ｘ方向のドラッグは、ｘ軸方向に完全に一致する方向のドラッグのみならず、ｘ方向に近い方向のドラッグも含む。
【００５７】
本願の技術の適用範囲は多機能機１０に限定されず、画像処理機能を有する各種の装置（プリンタ、スキャナなど）に適用可能である。
【００５８】
スクロール操作を受け付ける第３の受付部（図３のＳ１２５）は、省略することが可能である。機能画像をスクロール表示させる第３の表示制御部は、省略することが可能である。パラメータ変更操作を受け付ける第４の受付部は、省略することが可能である。パラメータを変更するパラメータ変更部は、省略することが可能である。背景操作受け付ける第５の受付部は、省略することが可能である。パラメータの選択を受け付ける選択受付部は、省略することが可能である。パラメータを登録する登録部は、省略することが可能である。「画像処理装置」は、「表示部」と「座標検出部」と「制御部」とを少なくとも備えていればよい。「制御部」は「第１の表示制御部」と「第１の受付部」と「第２の受付部」と「特定処理実行部」と「第２の表示制御部」とを少なくとも備えていればよい。
【００５９】
多機能機１０は、画像処理装置の一例である。パネル５０は、表示部の一例である。アイコン選択操作は、第１のユーザ操作の一例である。インジケータ表示操作は、第２のユーザ操作の一例である。スライダーインジケータは、第１のパラメータ設定画像の一例である。ｘ軸方向は、第１の方向の一例である。ｙ軸方向は、第２の方向の一例である。機能画像は、画面画像の一例である。スクロール操作は、第３のユーザ操作の一例である。背景画像は、選択アイコン画像の表示領域外の画像の一例である。画像表示プログラム１８は、コンピュータプログラムの一例である。
【００６０】
図２のＳ１０を実行するＣＰＵ１４は、第１の表示制御部の一例である。図４のＳ２２５を実行するＣＰＵ１４は、第１の受付部の一例である。図３のＳ１４５を実行するＣＰＵ１４は、第２の受付部の一例である。図４のＳ２３０、Ｓ２５０を実行するＣＰＵ１４は、特定処理実行部の一例である。図３のＳ１５０を実行するＣＰＵ１４は、第２の表示制御部の一例である。図３のＳ１２５を実行するＣＰＵ１４は、第３の受付部の一例である。図３のＳ１３０を実行するＣＰＵ１４は、第３の表示制御部の一例である。図３のＳ１６０を実行するＣＰＵ１４は、第４の受付部の一例である。図３のＳ１８０を実行するＣＰＵ１４は、パラメータ変更部の一例である。図２のＳ４５を実行するＣＰＵ１４は、第５の受付部の一例である。図２のＳ５０を実行するＣＰＵ１４は、第６の表示制御部の一例である。図５のＳ３１０を実行するＣＰＵ１４は、選択受付部の一例である。図５のＳ３２０を実行するＣＰＵ１４は、登録部の一例である。
【符号の説明】
【００６１】
１０：多機能機、１２：制御部、１４：ＣＰＵ、１６：ＲＯＭ、１８：画像表示プログラム、３０：ＲＡＭ、４０：ＮＶＲＡＭ、５０：パネル、５１：座標検出部、５４：プリント部、５６スキャン部、５８：ＦＡＸ部、６０：ネットワークＩ／Ｆ、ＡＩ１〜ＡＩ４：アイコン画像、Ｂ：スタートボタン、ＦＩ１〜ＦＩ７：機能画像、ＳＩ１〜ＳＩ３：スライダーインジケータ、ＳＳ：設定画面
【図１】
2018165959.tif 000003
【図２】
2018165959.tif 000004
【図３】
2018165959.tif 000005
【図４】
2018165959.tif 000006
【図５】
2018165959.tif 000007
【図６】
2018165959.tif 000008
【図７】
2018165959.tif 000009
【図８】
2018165959.tif 000010
【図９】
2018165959.tif 000011
【図１０】
2018165959.tif 000012
【図１１】
2018165959.tif 000013
【図１２】
2018165959.tif 000014
【図１３】
2018165959.tif 000015